(57)【特許請求の範囲】
【請求項１】
少なくとも１つの医用機器を保持するためのスタンドであって、
前記スタンド（１０）を床の上に置くためのスタンド脚部（６）を有し、該スタンド脚部（６）は前記スタンド（１０）を前記床の上で移動するための複数のキャスタ（１６）を含むスタンドにおいて、
前記スタンド（１０）は、当該スタンド（１０）の移動運動を検出するために少なくとも１つのセンサユニット（２２）を含み、
前記スタンド（１０）は、前記スタンド脚部（６）の前記キャスタの少なくとも１つを駆動するための駆動ユニット（１８）と、当該駆動ユニット（１８）を制御するための制御ユニット（２０）とを含み、
前記制御ユニット（２０）は前記駆動ユニット（１８）を制御するに際し、前記センサユニット（２２）が前記スタンド（１０）の移動運動を検知する場合だけ、前記駆動ユニット（１８）が前記少なくとも１つのキャスタ（１６）を支援的に駆動するように制御し、
前記センサユニット（２２）は、前記スタンド（１０）の移動運動の速度を検出するための速度センサを含み、
前記制御ユニット（２０）は前記駆動ユニット（１８）を制御するに際し、前記速度センサによって検出された前記スタンド（１０）の移動運動の目下の速度が予設定された最小速度より大きい場合および／または予設定された最大速度より小さい場合にのみ、前記駆動ユニットが前記少なくとも１つのキャスタ（１６）を支援的に駆動するように制御する、
ことを特徴とするスタンド。
【請求項２】
請求項１に記載のスタンドであって、
前記医用機器（Ｗ１〜Ｗ３）を取り付けることのできる支持ユニット（１２）が、前記スタンド脚部（６）に配設されている、ことを特徴とするスタンド。
【請求項３】
請求項２に記載のスタンドであって、
前記支持ユニット（１２）は、前記少なくとも１つの医用機器（Ｗ１〜Ｗ３）が取り付けられた保持ユニット（５）を含む、ことを特徴とするスタンド。
【請求項４】
請求項１から３までのいずれか１項に記載のスタンド（１０）であって、
前記駆動ユニット（１８）は、前記センサユニット（２２）が移動運動を検知するとき、前記スタンド脚部（６）の少なくとも２つのキャスタ（１６）を支援的に駆動する、ことを特徴とするスタンド。
【請求項５】
請求項１から４までのいずれか１項に記載のスタンド（１０）であって、
前記駆動ユニット（１８）は電気モータを含む、ことを特徴とするスタンド。
【請求項６】
請求項１から５までのいずれか１項に記載のスタンド（１０）であって、
前記スタンドは、前記駆動ユニット（１８）に電気エネルギーを供給するために電気エネルギーを蓄積するためのエネルギーストレージユニット（１９）を含む、ことを特徴とするスタンド。
【請求項７】
請求項１から６までのいずれか１項に記載のスタンド（１０）であって、
前記制御ユニット（２０）は前記駆動ユニット（１８）を制御するに際し、前記速度センサによって検出された移動運動の目下の速度が前記予設定された最大速度より大きい場合、前記駆動ユニットは前記キャスタ（１６）を前記移動運動が減速されるように駆動する、ことを特徴とするスタンド。
【請求項８】
請求項１から７までのいずれか１項に記載のスタンド（１０）であって、
前記センサユニット（２２）は、前記キャスタ（１６）の回転を計数するための回転数センサ、加速センサ、トルクセンサ、および／または力センサを含む、ことを特徴とするスタンド。
【請求項９】
請求項１から８までのいずれか１項に記載のスタンド（１０）であって、
前記スタンド（１０）を移動するための移動位置では、前記キャスタ（１６）はこれらが前記スタンド脚部（６）のサポート面（１４）から突き出るように配置されており、
前記スタンド脚部（６）が床の上に置かれる支持位置では、前記キャスタ（１６）は前記スタンド脚部（６）の受け入れ領域内に、当該キャスタが前記サポート面（１４）から突き出ないように収容される、ことを特徴とするスタンド。
【請求項１０】
請求項１から９までのいずれか１項に記載のスタンド（１０）であって、
前記スタンド（１０）を手動で移動させるためのハンドル（２４）が当該スタンド（１０）に配設されており、
手動で操作可能な操作エレメント（２６）が前記ハンドル（２４）に配設されており、
前記制御ユニット（２０）は前記駆動ユニット（１８）を、前記操作エレメント（２６）が操作されたときにだけ当該駆動ユニットが前記少なくとも１つのキャスタ（１６）を支援的に駆動するように制御する、ことを特徴とするスタンド。
【請求項１１】
請求項１から１０までのいずれか１項に記載のスタンド（１０）であって、
リモートコントロールシステムが前記駆動ユニット（１８）の制御のために、および／または前記移動運動の制御のために設けられている、ことを特徴とするスタンド。
【請求項１２】
請求項１から１１までのいずれか１項に記載のスタンド（１０）であって、
前記スタンド（１０）は、床の非平坦性を検知するためのセンサを有し、
前記制御ユニット（２０）は前記駆動ユニット（１８）を、前記センサが床の非平坦性を検知する場合、当該駆動ユニット（１８）が前記少なくとも１つのキャスタ（１６）を支援的に駆動するように制御する、ことを特徴とするスタンド。
【請求項１３】
請求項１から１２までのいずれか１項に記載のスタンド（１０）であって、
前記スタンド（１０）は、床のマーキングを識別するためにマーキングセンサを含んでおり、
前記制御ユニット（２０）は前記駆動ユニット（１８）を制御するに際し、前記マーキングセンサが床のマーキングを検知し、移動運動が継続される場合には床のマーキングを乗り越えることになることを前記制御ユニット（２０）が検出したときに、前記駆動ユニットが前記スタンド（１０）を減速するよう制御する、ことを特徴とするスタンド。
【発明の詳細な説明】
【技術分野】
【０００１】
本願は、２０１２年２月１４日出願に係るドイツ特許出願第１０  ２０１２  １０１  １３６．２号の優先権主張に基づくものであり、その全記載内容は引用をもって本書に繰込み記載されているものとする。
本発明は、医用機器を保持するためのスタンド、特に少なくとも１つの医用機器を保持するためのスタンドに関する。このスタンドは床にスタンドを配置するためのスタンド脚部を含み、当該脚部は前記スタンドを床の上で移動するための複数のキャスタを有する。
【背景技術】
【０００２】
スタンドはとりわけ顕微鏡を保持するために使用され、場合により補助装置、たとえば照明システムを外科処置中に手術室で保持するために使用され、これにより外科医は自分の手を空けておくことができる。この種の顕微鏡はすべての処置に必要なものではないから、または特別の顕微鏡が異なる手術室で種々の処置のために必要となることがあるから、スタンドは手術室間において、場合により格納エリアとの間で移動される。この目的のために、スタンドを移動させることができ、したがって持ち上げる必要のないように複数のキャスタをスタンド脚部の下側に、すなわち床に向いた側に配置することが公知である。
【０００３】
現代の付加的機器の数がますます増大しており、またスタンドを小型かつコンパクトに構成してスタンドの必要スペースを小さくするため、現代のスタンドは重量が大きく、そのためスタンドの移動には比較的大量のエネルギーを必要とする。とくにスタンドがいったん運動を始めると、これを手で再び減速することは困難であり、とくにそのために大きな制動距離が必要となるおそれがあり、その結果、衝突したり、場合により怪我および／または損傷が発生することがある。
【０００４】
電気的に駆動されるキャスタを含む医用機器のためのトロリーが、たとえばＪＡＮＳＥＮ  ＭＥＤＩＣＩＣＡＲＳ社から公知である。このトロリーは、トロリー上の対応するボタンを操作することにより自動的に移動することができ、オペレータがこの目的のために力を加える必要がない。
【先行技術文献】
【特許文献】
【０００５】
【特許文献１】ドイツ特許第１９７１０９５０号
【発明の概要】
【発明が解決しようとする課題】
【０００６】
このようなトロリーの問題は、電気駆動システムであるため、たとえばボタンを意図せずに押したり、間違ったボタンを押したりすることにより、トロリーが意図しない方向に移動することが急に生じ、そのため怪我の原因となったり、高価な医用機器を損傷したりすることがあることである。
【０００７】
本発明の一視点において、簡単に種々の箇所に移動することのできる、少なくとも１つの医用機器を保持するためのスタンドを提供することを課題とする。
【課題を解決するための手段】
【０００８】
この課題は、請求項１の特徴を備えるスタンドによって解決される。なお、特許請求の範囲に付記した図面参照符号は、専ら理解を助けるためのものであり、図示の態様に限定することを意図するものではない。即ち、本発明の一視点において、少なくとも１つの医用機器を保持するためのスタンドが提供される。このスタンドは、前記スタンドを床の上に置くためのスタンド脚部を有し、該スタンド脚部は前記スタンドを前記床の上で移動するための複数のキャスタを含む。さらに、前記スタンドは、当該スタンドの移動運動を検出するために少なくとも１つのセンサユニットを含み、前記スタンドは、前記スタンド脚部の前記キャスタの少なくとも１つを駆動するための駆動ユニットと、当該駆動ユニットを制御するための制御ユニットとを含む。前記制御ユニットは前記駆動ユニットを制御するに際し、前記センサユニットが前記スタンドの移動運動を検知する場合だけ、前記駆動ユニットが前記少なくとも１つのキャスタを支援的に駆動するように制御する。更に前記センサユニットは、前記スタンドの移動運動の速度を検出するための速度センサを含み、前記制御ユニットは前記駆動ユニットを制御するに際し、前記速度センサによって検出された前記スタンドの移動運動の目下の速度が予設定された最小速度より大きい場合および／または予設定された最大速度より小さい場合にのみ、前記駆動ユニットが前記少なくとも１つのキャスタを支援的に駆動するように制御する。
【０００９】
本発明の有利な実施の形態は従属請求項に記載されている。即ち、本発明において、下記の形態が可能である。
（形態１）  少なくとも１つの医用機器を保持するためのスタンドであって、前記スタンドを床の上に置くためのスタンド脚部を有し、該スタンド脚部は前記スタンドを前記床の上で移動するための複数のキャスタを含むスタンドにおいて、前記スタンドは、当該スタンドの移動運動を検出するために少なくとも１つのセンサユニットを含み、前記スタンドは、前記スタンド脚部の前記キャスタの少なくとも１つを駆動するための駆動ユニットと、当該駆動ユニットを制御するための制御ユニットとを含み、前記制御ユニットは前記駆動ユニットを制御するに際し、前記センサユニットが前記スタンドの移動運動を検知する場合だけ、前記駆動ユニットが前記少なくとも１つのキャスタを支援的に駆動するように制御すること。
（形態２）  前記医用機器を取り付けることのできる支持ユニットが、前記スタンド脚部に、好ましくは自在に配設されていることが好ましい。
（形態３）  前記スタンドにおいて、前記支持ユニットは、前記少なくとも１つの医用機器、とりわけ顕微鏡が取り付けられた保持ユニットを含むことが好ましい。
（形態４）  前記スタンドにおいて、前記駆動ユニットは、前記センサユニットが移動運動を検知するとき、前記スタンド脚部の少なくとも２つのキャスタ、より好ましくは前記スタンド脚部の全てのキャスタを支援的に駆動することが好ましい。
（形態５）  前記スタンドにおいて、前記駆動ユニットは電気モータを含むことが好ましい。
（形態６）  前記スタンドは、前記駆動ユニットに電気エネルギーを供給するために電気エネルギーを蓄積するためのエネルギーストレージユニット、とりわけ再充電可能バッテリーおよび／または一次電池を含むことが好ましい。
（形態７）  前記スタンドにおいて、前記センサユニットは、前記移動運動の速度を検出するための速度センサを含むことが好ましい。
（形態８）  前記スタンドにおいて、前記制御ユニットは前記駆動ユニットを制御するに際し、前記運動センサによって検出された移動運動の目下の速度が所定の最小速度より大きい場合および／または所定の最大速度より小さい場合にのみ、前記駆動ユニットが前記少なくとも１つのキャスタを支援的に駆動するように制御することが好ましい。
（形態９）  前記スタンドにおいて、前記制御ユニットは前記駆動ユニットを制御するに際し、前記運動センサによって検出された移動運動の目下の速度が前記所定の最大速度より大きい場合、前記駆動ユニットは前記キャスタを前記移動運動が減速されるように駆動することが好ましい。
（形態１０）  前記スタンドにおいて、前記センサユニットは、前記キャスタの回転を計数するための回転数センサ、加速センサ、トルクセンサ、および／または力センサを含むことが好ましい。
（形態１１）  前記スタンドにおいて、前記スタンドを移動するための移動位置では、前記キャスタはこれらが前記スタンド脚部のサポート面から突き出るように配置されており、前記スタンド脚部が床の上に置かれる支持位置では、前記キャスタは前記スタンド脚部の受け入れ領域内に、当該キャスタが前記サポート面から突き出ないように収容されることが好ましい。
（形態１２）  前記スタンドにおいて、前記スタンドを手動で移動させるためのハンドルが当該スタンドに配設されており、手動で操作可能な操作エレメント、とりわけ取っ手が前記ハンドルに配設されており、前記制御ユニットは前記駆動ユニットを、前記操作エレメントが操作されたときにだけ当該駆動ユニットが前記少なくとも１つのキャスタを支援的に駆動するように制御することが好ましい。
（形態１３）  前記スタンドにおいて、リモートコントロールシステムが前記駆動ユニットの制御のために、および／または前記移動運動の制御のために設けられていることが好ましい。
（形態１４）  前記スタンドは、床の非平坦性を検知するためのセンサ、とりわけトルクセンサを有し、前記制御ユニットは前記駆動ユニットを、前記センサが床の非平坦性を検知する場合、当該駆動ユニットが前記少なくとも１つのキャスタを支援的に駆動するように制御することが好ましい。
（形態１５）  前記スタンドは、床のマーキングを識別するためにマーキングセンサを含んでおり、前記制御ユニットは前記駆動ユニットを制御するに際し、前記マーキングセンサが床のマーキングを検知し、移動運動が継続される場合には床のマーキングを乗り越えることになることを前記制御ユニットが検出したときに、前記駆動ユニットが前記スタンドを減速するよう、好ましくは停止するように、制御することが好ましい。
【発明を実施するための形態】
【００１０】
本発明の一実施形態によればスタンドは、当該スタンドの走行運動を検出するためのセンサユニットと、スタンド脚部の少なくとも１つのキャスタを駆動するための駆動ユニットと、当該駆動ユニットを制御するための制御ユニットとを含む。制御ユニットは駆動ユニットを、前記センサユニットがスタンドの移動運動を検知した場合にだけ、当該駆動ユニットが少なくとも１つのキャスタを支援的（補助的）に駆動するように制御する。
【００１１】
その結果、スタンドのユーザはスタンドの移動の際に駆動ユニットによって支援され、移動がより簡単になるが、しかし完全な電気駆動システムとは異なり、駆動ユニットはスタンドが手動で移動されている場合（間）にだけ支援に関与するから、高いレベルの安全性が提供される。
【００１２】
「支援的な駆動」（ないし「補助的な駆動」）とはとくに、スタンドがすでに運動している場合、とりわけ手動で移動している場合だけキャスタの駆動が行われることを意味すると理解すべきである。
【００１３】
移動運動を支援するための少なくとも１つのキャスタの支援的駆動は、たとえば特許文献１から公知にように、とくに電力支援サイクル（Pedelec）と同様な仕方で行われる。
【００１４】
スタンドの「移動運動」は床の上での第１の箇所から第２の箇所へのスタンドの移動を表す。移動運動はとりわけ、スタンドの支持ユニットの運動ではない。
【００１５】
スタンド脚部にはとくに支持ユニットが配置されており、この支持ユニットに医用機器をさらに取り付けることができる。支持ユニットはとくに自在にスタンド脚部に接続されており、したがって前記ユニットに取り付けられた医用機器を所望の位置にもたらすことができ、そのために医師がスタンド脚部を動かす必要はない。支持ユニットはとくに２つの支持体を含んでおり、これらの支持体はさらに互いに自在に接続されており、したがって可及的に大きな運動スペクトルが可能である。
【００１６】
支持ユニットは好ましくは保持ユニットを有し、この保持ユニットに医用機器が取り付けられる。顕微鏡は有利には医用機器として保持ユニットに取り付けられる。顕微鏡に加えてさらに補助的装置、たとえば照明システムを保持ユニットに取り付けるか、または顕微鏡に直接取り付けることができる。
【００１７】
さらに駆動ユニットがスタンド脚部の少なくとも２つのキャスタ、好ましくはスタンド脚部のすべてのキャスタを、センサユニットが移動運動を検知するときに支援的に駆動すると有利である。それによりスタンド脚部が均等に支援されて移動される。
【００１８】
駆動ユニットはとりわけ電気モータ、有利には直流モータを含むことができる。これにより単純で経済的な構成が達成される。
【００１９】
さらにスタンドが、駆動ユニットにエネルギーを供給するために電気エネルギーを蓄積するエネルギーストレージ（貯蔵ないし蓄積）ユニットを含むと有利である。このことには、移動のためにスタンドを電気網に接続する必要がないという利点がある。エネルギーストレージユニットは好ましくは再充電可能バッテリーを含み、したがってエネルギーストレージユニットは再充電可能である。スタンドはとりわけ前記再充電可能バッテリーを充電するためのインタフェースを有し、このインタフェースを介して後者を電気網に接続することができる。スタンドにより保持された医用機器が電気網に接続されたとき、再充電可能バッテリーの充電が自動的に行われるととくに有利である。
【００２０】
再充電可能バッテリーに加えてまたはそれに代えて、少なくとも１つの一次電池を設けることもでき、この一次電池はエネルギーストレージデバイスとして駆動ユニットに電気エネルギーを供給するために用いられる。さらに、或いは、駆動ユニットにエネルギーを供給するためにスタンドを電気網にケーブルを介して接続することもできる。
【００２１】
センサユニットは好ましくは、スタンドの移動速度を検出するために速度センサを含む。キャスタの駆動の際の支援（ないし補助）の程度はとりわけ速度に依存することができる。或いは、駆動ユニットは、速度センサによって検出された速度に関係なく一定の力でキャスタを駆動することができる。
【００２２】
さらに制御ユニットが駆動ユニットを、運動センサによって検出された移動運動の目下の速度が所定の最小速度より大きい場合および／または所定の最大速度より小さい場合にのみ駆動ユニットが少なくとも１つのキャスタを支援（補助）的に駆動するように制御するととくに有利である。スタンドの手動による運動が最小速度を上回らなければ、移動運動を支援するために駆動ユニットがキャスタを駆動開始しないように、この最小速度を設定すれば、操作者がスタンドの移動を実際に意図した場合だけ移動運動が支援されることが保証され、これにより移動が操作者にとってより容易になる。とりわけこれにより、スタンドがアクシデントで衝突した場合に、駆動ユニットがキャスタを駆動し、スタンドが意図せずにさらに運動することが回避される。
【００２３】
所定の最大速度を設定することにより、スタンドが過度に高い速度で運動されないことが保証され、したがって短い制動距離内でスタンドを十分に減速することができ、これにより衝突が回避される。
【００２４】
移動運動を支援するために少なくとも１つのキャスタを駆動することは、キャスタの回転運動の加速としても減速としても行うことができる。その結果、一方ではスタンド自体の移動が促進され、他方ではスタンドの減速が促進され、その結果、スタンドを迅速に停止状態にすることができる。
【００２５】
とりわけスタンドが下り坂の傾斜面を運動する場合、駆動ユニットによる補助的な制動によってスタンドが加速するのが阻止される。これにより衝突が防止される。
【００２６】
さらに、制御ユニットが駆動ユニットを制御するに際し、速度センサによって検出される移動運動の目下の速度（実速度）が最大速度より大きい場合には、移動運動が減速されるように前記駆動ユニットがキャスタを駆動するよう制御するとさらに有利である。
【００２７】
速度センサに加えてまたはそれに代わりセンサユニットは、キャスタの回転を計数するための回転数カウンタ、加速センサ、トルクセンサ、および／または力センサを含むことができる。これにより、移動運動を簡単に確実に検知することが達成され、移動運動の安全で信頼性の高い支援が達成される。
【００２８】
加速度センサにより、正の加速であるか、すなわちスタンドの速度が上昇するのか、または負の加速度であるのか、すなわち速度が減速するのかを特に検出することができる。対応して制御ユニットは駆動ユニットを、支援（補助）的に駆動されるキャスタを対応して駆動することによって速度の（正の）加速も減速も行われるように制御する。さらにその結果、とくに傾斜面での減速も達成される。
【００２９】
スタンドのキャスタは、とりわけ、これらがスタンドの移動のために取る移動位置と、スタンド脚部が床の上に置かれたときに取る支持位置（support position）との間を移動することができる。移動位置ではキャスタは、これらがスタンド脚部のサポート面から突き出て、これによりスタンド脚部を床から持ち上げ、スタンドを容易に移動できるように配置される。反対に支持位置では、キャスタはスタンド脚部の凹部内に（後退して）十分に収容され、これにより床と接触したり、少なくともスタンドを持ち上げたりせず、したがってスタンドは安全に支持され、意図せずに移動することができない。
【００３０】
さらにスタンドの手動による移動のためにハンドルがスタンドに配設されていると有利である。これによりスタンドを簡単に取り扱うことができる。
【００３１】
手動操作可能な操作エレメントがとりわけハンドルに配設されており、制御ユニットが駆動ユニットを制御するに際し、操作エレメントがとくに手動で操作される場合だけ駆動ユニットが少なくとも１つのキャスタを補助的に駆動するように制御する。その結果、移動運動の支援が、実際に操作者によって望まれる場合にだけ行われることが保証される。操作エレメントはとくにハンドル全体にわたって伸長する取っ手であり、したがって操作エレメントを簡単に、操作者がハンドルをつかむ位置に関係なく、芝刈り機と同じように操作することができる。
【００３２】
さらにリモートコントロールシステムが駆動ユニットの制御のために、および／または移動運動の制御のために設けられていると有利である。このようにして駆動ユニットおよび移動運動を簡単に制御することができる。リモートコントロールシステムは、ケーブルベースでもワイヤレスでも、たとえば無線または赤外線を介しても実現することができる。このためにスタンドはとくに受信機を含み、リモートコントロール部は対応する送信機を含む。
【００３３】
さらに床の非平坦性（凸凹）を検知するためのセンサが設けられており、制御ユニットが駆動ユニットを制御するに際し、前記センサが床の非平坦性を検知したときに駆動ユニットが少なくとも１つのキャスタを補助的に駆動するよう制御すると有利である。床の非平坦性はとりわけドアの敷居であり、これがセンサによって識別される。これによりドアの敷居を乗り越えることが、対応する駆動ユニットの作動によって容易になる。床の非平坦性を検知するためのセンサは、とりわけトルクセンサとすることができる。
【００３４】
さらにスタンドがフロアマーキングを識別するためにマーキングセンサを含むと有利である。このような床マーキングセンサは、とりわけいわゆる「セーフティゾーン」、すなわち手術室内で機器を配置してはならないゾーンを標識するためのマーキングとすることができる。制御ユニットは駆動ユニットを制御するに際し、マーキングセンサがフロアマーキングを検知し、もし移動運動を継続した場合にはフロアマーキングを乗り越えることになるであろうことを制御ユニットが確認したときに、駆動ユニットがスタンドを減速するように制御する。とりわけ制御ユニットは駆動ユニットを、後者がスタンドを停止するために減速するように制御する。これによりフロアマーキングを乗り越え、とりわけ意図せずにセーフティゾーンへ移動することが回避される。マーキングセンサはとりわけ光学センサとすることができる。
【００３５】
本発明のさらなる特徴および利点は、添付図面に関連した例示的実施例を参照する以下の詳細な説明から明白である。
【図面の簡単な説明】
【００３６】
【図１】少なくとも１つの医用機器を保持するためのスタンドの概略図である。
【実施例】
【００３７】
図１は、医用機器Ｗ１〜Ｗ３を保持するためのスタンド１０を概略的に示す。医用機器Ｗ１はとりわけ顕微鏡であり、医用機器Ｗ２とＷ３はたとえば照明システム用の補助装置である。或いは、他の医用機器Ｗ１〜Ｗ３、または１つだけの医用機器Ｗ１〜Ｗ３、または非医用機器Ｗ１〜Ｗ３もスタンドに取り付けることができる。
【００３８】
スタンド１０はスタンド脚部６を含み、スタンド脚部によりスタンド１０は床の上に裁置される。さらにスタンド１０は支持ユニット１２を有し、この支持ユニットは第１の支持部１と第２の支持部２とを含むことができる。第１の支持部（支持アーム）１はスタンド脚部６に、第１の軸Ｓ１を中心に回転可能に取り付けられている。さらに第２の支持部（支持アーム）２は第１の支持部１（の上端）に、軸Ｓ２を中心に回転可能に取り付けられている。さらに第２の支持部２には保持ユニット５が自在に配置されており、この保持ユニットにはさらに医用機器Ｗ１〜Ｗ３を取り付けることができる。支持部１，２にはそれぞれスライド機構３，４が設けられており、このスライド機構にカウンタウェイトＷ４，Ｗ５がスタンド１０のカウンタバランスのために設けられていれば、医用機器Ｗ１〜Ｗ３は所望の位置に留まり、この位置は確定され自分で他の位置に移動しない。
【００３９】
支持ユニット１２によって達成されることは医用機器Ｗ１〜Ｗ３の位置を簡単に確立できることであり、とりわけ外科措置のために最適の位置を選択することができる。
【００４０】
スタンド脚部６はサポート面（底面）１４を有し、このサポート面によってスタンド脚部は床の上に置かれる。スタンド脚部６はさらに複数のキャスタを有し、それらの１つには例として参照符号１６が付してある。キャスタ１６によってスタンド１０を別の位置に移動することができ、これによりスタンドを簡単にそれぞれの使用位置または格納エリアに搬送することができる。
【００４１】
とりわけキャスタ１６を、これらがサポート面１４から（下方に）突き出た移動位置と支持位置との間で調整することができる。支持位置ではキャスタがスタンド脚部６の凹部（図１には図示せず）に収容されており、キャスタはサポート面１４から突き出ていない。支持位置とは、スタンド１０が床の上に置かれ、移動させる意図のないときにキャスタ１６が取る位置である。したがってスタンド１０の安全なサポートが支持位置で達成され、移動位置においてはスタンド１０の容易な移動が可能となる。移動位置と支持位置との間でのキャスタ１６の調整は手動でおよび／または自動的に、たとえば駆動ユニットによって行うことができる。
【００４２】
スタンド１０はさらに駆動ユニット１８を有し、この駆動ユニットによりスタンド脚部６のキャスタ１６の少なくとも１つ、好ましくはすべてのキャスタ１６を駆動することができる。駆動ユニット１８はとりわけ電気モータ、好ましくは直流モータを含む。エネルギーストレージユニット１９、とりわけ再充電可能バッテリーおよび／または一次バッテリーが設けられており、これにより駆動ユニット１８が必要とするエネルギーを提供することができる。再充電可能バッテリーは、とりわけスタンド１０が固定位置にあるとき、およびとりわけ医用機器Ｗ１〜Ｗ３が使用される時に充電される。或いは、一次電池が使用される時には充電を省略することができる。
【００４３】
さらにスタンド１０は駆動ユニット１８を制御するために、ならびにスタンド１０の移動運動を検出するためのセンサユニット２２を制御するために制御ユニット２０を有する。制御ユニット２０は駆動ユニット１８を制御するに際し、スタンド１０の移動運動がセンサユニット２２を介して検知された場合だけ駆動ユニットがキャスタ１６を支援（補助）的に駆動するように制御する。したがって駆動ユニット１８はキャスタ１６を連続的には駆動せず、対応する操作エレメントの操作によっても駆動せず、スタンド１０が手動で運動される場合にだけ駆動する。電力支援自転車、いわゆる「Pedelec」の場合のようにペダリング運動を支援することと比較して、駆動ユニットによってはいずれにしろすでに行われている移動運動の支援が実行されるだけである。
【００４４】
センサユニット２２はとりわけ速度センサを含み、この速度センサによって移動運動の速度が検出される。とりわけ最小速度と最大速度が制御ユニット２０に設定されている。駆動ユニット１８は、センサユニット２２によって検出された目下の速度（実速度）が所定の最小速度より大きい場合、または所定の最大速度より小さい場合にだけ移動運動を支援するように制御される。最小速度を前もって設定することにより、スタンドの移動運動が、移動が意図されている場合にだけ支援されることが保証される。最大速度により、スタンド１０が過度に高速に移動しないことが保証され、したがって比較的短い制動距離内で停止させることができる。加えて最大速度の予設定によりスタンド１０の自動的な減速が可能になり、これにより下り坂のスロープ面上の移動が簡単になる。
【００４５】
一般的に駆動ユニットによりキャスタの「支援（補助）的駆動」とは、正と負の加速の両方を支援すること、すなわち速度上昇の支援と、速度維持の支援と、減速の支援であると理解される。
【００４６】
さらにセンサユニット２２はたとえば加速度センサ、トルクセンサ、または力センサを含むことができる。
【００４７】
加えてフロアマーキングを検出するためのマーキングセンサ、とりわけカメラを付加的に設けることができる。医用機器が通常は入り込んではならないセーフティゾーンは、フロアマーキングを使用して手術室にしばしばマークされている。そのようなフロアマーキングが、この種のマーキングセンサによって自動的に検知される。これに基づいて制御ユニット２０は駆動ユニット１８を、後者が自動的にスタンド１０を減速するように制御し、これによりスタンド１０が意図せずにそのようなフロアマーキングを超えてセーフティゾーンに入り込むことがないようにすることができる。
【００４８】
加えてセンサユニット２２はまた、床の非平坦性（傾斜ないし凸凹）を検出するためのセンサ、たとえばトルクセンサを含むことができる。これによりとりわけドアの敷居を識別することができ、この関連で制御ユニットは駆動ユニット１８を、ドアの敷居の識別に基づいて駆動ユニットがキャスタ１６を支援（補助）的に駆動するように制御する。それによりスタンド１０はドアの敷居を簡単に乗り越えることができる。
【００４９】
スタンド１０を手動で簡単に動かすことのできるハンドル２４が好ましくはスタンド１０に配置されている。好ましい実施形態では取っ手（ないしレバー）２６として実現された操作エレメントが前記ハンドルに配設されている。この取っ手２６がスタンド１０を移動させる人物によって操作されるときにだけ、対応する移動運動がセンサユニット２２によって検出された場合、制御ユニット２０は駆動ユニットを、これが移動運動を支援するように制御する。取っ手２６が操作されないと駆動ユニット１８による移動運動の支援は行われず、したがってこの場合は手動でのみスタンド１０は移動可能である。これにより操作者はいつでも、自分がスタンド１０の移動で支援を望んでいるのか否かを簡単に決定することができる。これによりスタンド１０の安全な移動を達成することができる。
【００５０】
付加的にまたは選択的にリモートコントロールシステムを設けることもでき、これにより駆動ユニットを操作することができる。とりわけ移動運動全体をこのリモートコントロールシステムによって制御することができる。
【００５１】
駆動ユニット１８による移動運動の支援は、簡単でありそれにもかかわらずスタンド１０の安全な移動を全体として可能にする。一方では駆動ユニット１８によりスタンド１０を移動させるためのエネルギー消費を低減することができ、他方では純粋な支援作用、すなわちすでに移動運動が存在する場合にだけキャスタ１６を駆動することにより、完全な電気駆動システムとは異なり、不所望の方向でのスタンド１０の不所望の運動が回避されることないし、少なくともより困難になることが保証される。
【００５２】
本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。即ち、本発明は、請求の範囲を含む全開示、技術的思想にしたがって当業者であればなし得るであろう各種変形、修正を含むことは勿論である。
【符号の説明】
【００５３】
１，２  支持部（支持アーム）
３，４  スライド機構
５  保持ユニット
６  スタンド脚部
１０  スタンド
１２  支持ユニット
１４  サポート面（底面）
１６  キャスタ
１８  駆動ユニット
１９  エネルギーストレージユニット
２０  制御ユニット
２２  センサユニット
２４  ハンドル
２６  取っ手（ないしレバー）
Ｓ１，Ｓ２  軸
Ｗ１，Ｗ２，Ｗ３  医用機器
Ｗ４，Ｗ５  カウンタウェイト
【図１】
0005373985.tif 000002